(57)【特許請求の範囲】
【請求項１】
コート、ジャケット、オーバーのような通気穴付き衣料品（１０）であって、
使用者の身体により作り出され、空間（１３）を昇ってきた暖かい空気を放出するために、衣料品における肩部の対応する開口に取り付けられた少なくとも１つのメッシュ（１７）によって構成されている暖かい空気放出用要素（１６）と、
使用者の肩（１４）と衣料品（１０）が作られた布地との間に前記空間（１３）が生じるように衣料品（１０）の肩部（１２）の内側部分に配置されているスペーサー手段（１１）と
を備えてなり、
前記メッシュ（１６／１７）は、肩部（１２）の内側部分において対応する開口に取り付けられているとともに、下向き領域において、水に対して不透過性でありかつ蒸気に対して透過性である隔膜に組み合わされていることを特徴とする通気穴付き衣料品（１０）。
【請求項２】
前記スペーサー手段が、かがり縫い、ベルクロ接合、ジッパー、接着剤などにより衣料品に接合されている、軟質材料から作られた要素であることを特徴とする請求項１に記載の衣料品。
【発明の詳細な説明】
【０００１】
技術分野
この発明は、コート、ジャケット、オーバーなどの通気穴付き衣料品に関するものである。
【０００２】
人間が雪、雨、風のような大気作用因子からとりわけ寒さから身体を保護するために衣服や靴を身に着けることは知られている。
【０００３】
人間の身体は、衣服のさまざまな層にもっぱら頼ることで保護されているが、これらの層の第１のものである下着は、身体に直接接しており、次に、外側温度および環境条件に調和する連続層で覆われている。
【０００４】
従って、快適さを実現しかつ自らが最適温度にあることを認めるためには、衣服の１つ以上の層を加えたり減らしたりすれば充分である。
【０００５】
人間の身体には、身体が置かれる環境に身体を熱的に順応させるのに役立つ「機構」が先天的に設けられている。
【０００６】
例えば過熱が引き起こされると、身体は、体温を自然に低下させることのできる、水分蒸発による発汗作用が増大することで、反応する。
【０００７】
人間の身体によって生じた熱は、発汗作用を作り出すのに加えて、輻射によっても外部へ消散する。
【０００８】
常に存在しているこの熱によって、身体と衣料品との間に含まれた空気が暖められ、この空気は、上昇することで、滞留領域を構成する例えば肩部における過熱および不快感をさらに引き起こす。
【０００９】
水蒸気が人間の身体を取り巻く保護外装（衣服）から放散することができないときには、湿度は蒸気が凝結して汗の液体状態に戻るまで増大して、第１内側層を構成する下着をはじめとする衣服が濡れる。
【００１０】
この不快な欠点は、現在では、例えば登山に挑んだすぐ後に濡れた衣料品を脱いで乾いた衣料品に着替えることで軽減することができるが、このようにすると、身体が突然冷えて、肺炎や冷えに関する他の病気のおそれが生じる。
【００１１】
一方において、高断熱材料を使うことによって人間の身体をほとんどの不都合な寒冷条件から保護することはきわめて有効であるのに対し、他方において、人間は、発汗によって作り出された水蒸気の放散を保証しながら身体に自然に汗をかかせることができないという事実を回避することはまったくできない。
【００１２】
明らかなことであるが、温暖な季節には、この問題はいっそう重要であり、多くの人々は一日に数回のシャワーを浴びて次々に衣服を着替える。
【００１３】
特定の透湿特性の備わった衣服を用いることで、例えば、ダブリュ．エル．ゴア・アソシエーツ・インコーポレーテッド（Ｗ．Ｌ．Ｇｏｒｅ  Ａｓｓ．Ｉｎｃ．；）社が所有する登録商標「ゴアテックス」（Ｇｏｒｅ−Ｔｅｘ）によって商業上知られた材料に頼ることで、これらの欠点を解決する試みがなされてきた。しかしながら、このような衣服は、発汗によって生じるとともに人間の身体によって作り出された蒸気のほんの少しを、たいていはごく少しを、とりわけ汗腺が多く集まっている領域で放出することができるに過ぎず、また、どのような場合にも、衣料品の内側で効果的な換気をすることはできない。
【００１４】
蒸気の透過は、実際、限られた程度だけ起きるが、これは、（蒸気相にある）汗を外側へ放出するのに充分な蒸気分圧が、着用される製品の層の内側に形成されないからである。
【００１５】
他の場合には、汗が最も多く集中する領域、例えばわきの下での広さを変えるために閉じることのできる開口を衣料品の中に形成することによって、対応策が試みられてきたが、このことによっても、実際の換気が行なわれないため、特別な効果を保証することはできない。
【００１６】
より多くの開口を設けることによって効率を増大する試みも満足すべき結果をもたらすことができなかった、ということにも留意すべきである。
【００１７】
実際問題として、衣料品のいくつかの部分が常に身体、特に肩と胸とに事実上、直接張り付いているので、身体から出た汗の蒸発によって作り出された水蒸気は、身体と、身体に直接張り付かない衣服の領域（一般には、腹部領域、背中の腰部領域、およびとりわけわきの下の領域）との間に閉じ込められて残り、それによって、その放散が阻害される。
米国特許第３，２１３，４６５号公報には、全体として伝統的であってしかも魅力的な外観をもたらすために、完全に覆われた肩部と、肩部スペーサー要素と、わきの下および前ポケットにおける隠れた通気孔とが備わっている婦人用レインウェアーが開示されている。米国特許第５，７２７，２５６号公報には、開けると、使用者の肩に接しているメッシュ布地に触れることができる肩ジッパーが開示されている。
【００１８】
発明の開示
この発明の目標は、従来の衣料品における前記欠点を解消する衣料品を提供することである。
【００１９】
この目標のうち、この発明における１つの重要な目的は、身体を取り巻く保護外装の内側で適切な換気を保証する衣料品を提供することである。
【００２０】
この発明の別の目的は、すべての実用目的に対して、身体の自然体温調節を可能にすることである。
【００２１】
この発明によれば、特許請求の範囲に定義されたような衣料品が提供される。
【００２２】
この発明の別の特徴および利点は、添付図面において非限定的な例としてだけ示された、この発明に係る１つの実施態様に関する以下の詳細な説明からいっそう明らかになる。
【００２３】
発明を実施する方法
図面によれば、コート、ジャケット、オーバーなどのような衣料品は、全体として参照符号１０によって表されており、特定の場合には、テリークロス、フェルト、不織布、織布（例えば「ダブルジャージー」として知られたようなもの）などのような軟質材料から作られた要素によって構成されたスペーサー手段１１を備えてなり、このスペーサー手段は、使用者１５の肩１４と、衣料品が作られた布地との間に空間１３が生じるように、衣料品の肩部１２の少なくとも内側部分において、かがり縫い（ｓｔｉｔｃｈｅｄ  ｓｅａｍｓ）、ベルクロ（Ｖｅｌｃｒｏ）接合、ジッパー、接着剤などにより、その衣料品に接合されている。
【００２４】
スペーサー手段１１によって衣料品１０を使用者の肩１４から持ち上げることで、使用者の身体によって作り出された水蒸気あるいは熱は、腹部領域、背中の腰部領域、およびとりわけわきの下の領域に閉じ込められて残ることがもはやなくなるが、上昇しやすくなり、身体に張り付く衣料品の領域によって形成された障害物を今やまったくなくすようにする。
【００２５】
衣料品１０は、人間の身体により作り出されて空間１３に昇ってきた暖かい空気を放出するための要素１６をさらに備えており、このような要素は、この場合には、衣料品におけるそれぞれの肩部１２の対応する開口に取り付けられたメッシュ１６によって構成されている。
【００２６】
メッシュ１６は、下向き領域において、水に対して不透過性でありかつ蒸気に対して透過性である隔膜であって、図には示されておらず、また、例えばゴアテックスとして一般に知られている隔膜に組み合わされているのが好ましい。
【００２７】
１つの代案として、例えば、この衣料品における対応する穴の縁を取り巻く金属リングの備わった型の、それ自体は公知の換気要素を設けることができる。
【００２８】
従って、スペーサー手段１１によって使用者の身体と衣料品１０との間に形成された空間１３に換気要素１６を組み合わせることで、肩１４の上方での煙突効果に起因して昇ってきた暖かい空気を外側へ放出することができる。
【００２９】
換気要素１６によって影響を受ける面積の範囲を調節することで、放出される空気の量を、人間の身体の自然体温調節における問題が生じないように、調節することができることはもちろんである。
【００３０】
実際に、この発明における意図された目標および目的が達成されたことが観察されている。
【００３１】
以上のように考案されたこの発明は、すべてが創作力のある概念の範囲内にある多数の修正および変更を受けることができる。
【００３２】
細部のすべては、技術的に等価な他の要素でさらに置き換えることができる
【００３３】
実際に、用いられた材料は、寸法と同様に、不測の使用と互換性がある限り、要求に応じたどのようなものであってもよい。
【００３４】
この出願が優先権を主張するイタリア特許出願第ＰＤ２０００Ａ００００２６における開示は、引用によってこの明細書に組み入れられる。
【図面の簡単な説明】
【図１】  図１は、一部が想像線で表された、この発明に係る衣料品の上部の斜視図である。
【図２】  図２は、使用者が着用した状態が示されている、図１の衣料品の一部切欠正面である。
【図１】
0004955884.tif 000002
【図２】
0004955884.tif 000003